(57)【特許請求の範囲】
【請求項１】
指示に応じた放送局の放送波を受信する第１のチューナーと、
受信可能な放送局の周波数サーチを行う第２のチューナーと、
前記第１のチューナー及び第２のチューナーに供給する電源を生成する電源供給手段と、
車両の走行停止状態を検出する走行状態検出手段と、
受信中の放送波の受信状態を検出する受信状態検出手段と、
前記第１のチューナー、第２のチューナー、電源供給手段、走行状態検出手段及び受信状態検出手段を制御する制御手段と、
を有し、
前記制御手段は、前記車両の走行中は前記第２のチューナーに電源を供給して前記周波数サーチを行わせ、前記車両が走行停止したと判定したとき、前記放送波の受信状態に応じて前記第２のチューナーへ供給する電源のオンオフを制御することを特徴とするラジオ受信装置。
【請求項２】
前記制御手段は、前記受信状態を示すマルチパスのレベルが所定の値以下と判定したとき、前記第２のチューナーに供給する電源をオフにすることを特徴とする請求項１に記載のラジオ受信装置。
【請求項３】
前記制御手段は、前記受信状態を示すマルチパスのレベルが所定の値を超えていると判定したとき、前記第１のチューナー及び前記第２のチューナーを使用してダイバーシティ受信を行わせることを特徴とする請求項１に記載のラジオ受信装置。
【請求項４】
更に、記憶部を備え、
前記制御手段は、前記第２のチューナーによる周波数サーチが途中であり、前記受信状態が安定していると判定したとき、前記途中までの周波数サーチの状態を前記記憶部に保存した後、前記第２のチューナーに供給する電源をオフにすることを特徴とする請求項１に記載のラジオ受信装置。
【請求項５】
前記制御手段は、前記第２のチューナーによる周波数サーチが途中であり、前記受信状態が不安定であると判定したとき、周波数サーチを一周完了させた後、前記第２のチューナーに供給する電源をオフにすることを特徴とする請求項１に記載のラジオ受信装置。
【請求項６】
前記制御手段は、前記車両が走行を開始したとき、前記第２のチューナーに供給する電源をオンにし、前記記憶部に保存した周波数サーチの状態を抽出して、途中から続けて前記第２のチューナーに周波数サーチを行わせることを特徴とする請求項４又は５に記載のラジオ受信装置。
【請求項７】
前記制御手段は、前記車両が走行を開始したとき、前記第２のチューナーに供給する電源をオンにし、周波数サーチにおける初期周波数から前記第２のチューナーに周波数サーチをさせることを特徴とする請求項４又は５に記載のラジオ受信装置。
【請求項８】
前記制御手段は、前記車両が走行を開始したとき、前記第２のチューナーに供給する電源をオンにし、マルチパスのレベルが所定の値以下のとき、前記周波数サーチを再開させることを特徴とする請求項３に記載のラジオ受信装置。
【請求項９】
前記制御手段は、前記車両が走行を開始したとき、前記第２のチューナーに供給する電源をオンにし、マルチパスのレベルが所定の値を超えているとき、前記第１のチューナーと前記第２のチューナーによってダイバーシティ受信を行わせることを特徴とする請求項３に記載のラジオ受信装置。
【請求項１０】
指示に応じた放送局の放送波を受信する第１のチューナー及び受信可能な放送局の周波数サーチを行う第２のチューナーを備えたラジオ受信装置におけるラジオ受信方法であって、
車両の走行中に、前記第２のチューナーに電源を供給して前記周波数サーチを行わせるステップと、
前記車両が走行停止したか否かを検出するステップと、
前記放送波の受信状態を検出するステップと、
前記車両が走行を停止したとき、所定の受信状態に応じて前記第２のチューナーに供給する電源のオンオフを制御するステップと、
を有することを特徴とするラジオ受信方法。
【請求項１１】
前記電源のオンオフを制御するステップは、
前記受信状態を示すマルチパスを検出するステップと、
前記マルチパスのレベルが所定の値以下のときに前記電源をオフにするステップと、
を含むことを特徴とする請求項１０に記載のラジオ受信方法。
【請求項１２】
前記電源のオンオフを制御するステップは、
前記受信状態を示すマルチパスを検出するステップと、
前記マルチパスのレベルが所定の値を超えるとき、前記第１のチューナー及び前記第２のチューナーを使用してダイバーシティ受信を行わせるステップと、
を含むことを特徴とする請求項１０に記載のラジオ受信方法。
【請求項１３】
前記電源のオンオフを制御するステップは、
前記第２のチューナーによる周波数サーチの状態を検出するステップと、
前記放送波の受信状態を検出するステップと、
当該周波数サーチの状態が途中であって、前記受信状態が安定しているとき、前記途中までの周波数サーチの状態を記憶部に保存するステップと、
前記周波数サーチの状態を記憶部に保存した後、前記第２のチューナーに供給する電源をオフにするステップと、
を含むことを特徴とする請求項１０に記載のラジオ受信方法。
【請求項１４】
前記電源のオンオフを制御するステップは、
前記第２のチューナーによる周波数サーチの状態を検出するステップと、
前記放送波の受信状態を検出するステップと、
当該周波数サーチの状態が途中であって、前記受信状態が不安定であるとき、前記周波数サーチを一周完了させるステップと、
前記周波数サーチを一周完了させた後、前記第２のチューナーに供給する電源をオフにするステップと、
を含むことを特徴とする請求項１０に記載のラジオ受信方法。
【請求項１５】
更に、前記車両が走行を開始したか否かを検出するステップと、
前記車両が走行を開始したとき、前記第２のチューナーに供給する電源をオンにするステップと、
前記周波数サーチの途中から続けて前記第２のチューナーによって周波数サーチを行うステップと、
を有することを特徴とする請求項１３又は１４に記載のラジオ受信方法。
【請求項１６】
更に、前記車両が走行を開始したか否かを検出するステップと、
前記車両が走行を開始したとき、前記第２のチューナーに供給する電源をオンにするステップと、
周波数サーチにおける初期周波数から前記第２のチューナーによって周波数サーチを行うステップと、
を有することを特徴とする請求項１３又は１４に記載のラジオ受信方法。
【請求項１７】
更に、前記車両が走行を開始したか否かを検出するステップと、
前記車両が走行を開始したとき、前記第２のチューナーに供給する電源をオンにするステップと、
マルチパスの値を検出するステップと、
前記マルチパスのレベルが所定の値以下のとき、前記第２のチューナーによって周波数サーチを再開するステップと、
を有することを特徴とする請求項１２に記載のラジオ受信方法。
【請求項１８】
更に、前記車両が走行を開始したか否かを検出するステップと、
前記車両が走行を開始したとき、前記第２のチューナーに供給する電源をオンにするステップと、
マルチパスの値を検出するステップと、
前記マルチパスのレベルが所定の値を超えているとき、前記第１のチューナーと前記第２のチューナーによってダイバーシティ受信を実施するステップと、
を有することを特徴とする請求項１２に記載のラジオ受信方法。
【発明の詳細な説明】
【技術分野】
【０００１】
本発明は、ラジオ受信装置及びラジオ受信方法に関し、特に、２つのチューナーを備えたラジオ受信装置において消費電力の低減に好適なラジオ受信装置及びラジオ受信方法に関する。
【背景技術】
【０００２】
近年、ラジオ受信機では、音声放送だけではなく、交通情報のデータや受信している放送と同一番組を放送している代替放送局の周波数のデータをＦＭ信号に多重化した放送を受信できるようになっている。
【０００３】
このような多重放送を受信するラジオ受信機において、複数のチューナーを搭載することにより、メインのチューナーでラジオ放送を受信し、サブチューナーで受信可能な放送局を検出することが行われている。
【０００４】
例えば、代替放送局に関するデータを解析することにより、視聴中の放送局の受信状態が悪化したときに、代替放送局を検出して、自動的に受信周波数を変更する自動追従を行い、より良好な受信状態での視聴を可能としている。
【０００５】
これに関して、特許文献１では、代替周波数への切り替え時において、音声信号非出力側のチューナーが受信状態が良いとされた代替放送局の周波数にチューニングされた状態で、音声出力側のチューナーに切り替えられることにより、音切れを解消する技術が記載されている。
【先行技術文献】
【特許文献】
【０００６】
【特許文献１】特開平６−１３９２４号公報
【発明の概要】
【発明が解決しようとする課題】
【０００７】
上記したように、複数のチューナーを備えたラジオ受信機において、受信可能な放送局をサーチし、視聴している放送の受信状態が悪化したときであっても代替周波数に切り替えて放送を視聴することができるようになっている。
【０００８】
一方、近年の環境問題に対処するため、電気自動車やハイブリッドカー等が実用化されてきている。これらの電気自動車やハイブリッドカー等では、車両の走行停止時にエンジンを停止する車両が増えてきている。そのため、走行停止中にラジオの視聴等をするとバッテリーが消費されて放電過多になり、バッテリーの寿命を短くしてしまうという問題が発生している。
【０００９】
本発明は、上記従来の課題に鑑みてなされたものであり、複数のチューナーを備えたラジオ受信装置において車両の走行停止時に、消費電力を低減させることが可能なラジオ受信装置及びラジオ受信方法を提供することを目的とする。
【課題を解決するための手段】
【００１０】
上述した従来技術の課題を解決するため、本発明の一形態によれば、指示に応じた放送局の放送波を受信する第１のチューナーと、受信可能な放送局の周波数サーチを行う第２のチューナーと、前記第１のチューナー及び第２のチューナーに供給する電源を生成する電源供給手段と、車両の走行停止状態を検出する走行状態検出手段と、受信中の放送波の受信状態を検出する受信状態検出手段と、前記第１のチューナー、第２のチューナー、電源供給手段、走行状態検出手段、及び受信状態検出手段を制御する制御手段と、を有し、前記制御手段は、前記車両の走行中は前記第２のチューナーに電源を供給して前記周波数サーチを行わせ、前記車両が走行停止したと判定したとき、前記放送波の受信状態に応じて前記第２のチューナーへ供給する電源のオンオフを制御することを特徴とするラジオ受信装置が提供される。
【００１１】
この形態に係るラジオ受信装置において、前記制御手段は、前記受信状態を示すマルチパスのレベルが所定の値以下と判定したとき、前記第２のチューナーに供給する電源をオフにするようにしてもよく、前記制御手段は、前記受信状態を示すマルチパスのレベルが所定の値を超えていると判定したとき、前記第１のチューナー及び前記第２のチューナーを使用してダイバーシティ受信を行わせるようにしてもよく、更に、記憶部を備え、前記制御手段は、前記第２のチューナーによる周波数サーチが途中であり、前記受信状態が安定していると判定したとき、前記途中までの周波数サーチの状態を前記記憶部に保存した後、前記第２のチューナーに供給する電源をオフにするようにしてもよく、前記制御手段は、前記第２のチューナーによる周波数サーチが途中であり、前記受信状態が不安定であると判定したとき、周波数サーチを一周完了させた後、前記第２のチューナーに供給する電源をオフにするようにしてもよい。
【００１２】
また、前記制御手段は、前記車両が走行を開始したとき、前記第２のチューナーに供給する電源をオンにし、前記記憶部に保存した周波数サーチの状態を抽出して、途中から続けて前記第２のチューナーに周波数サーチを行わせるようにしてもよく、前記制御手段は、前記車両が走行を開始したとき、前記第２のチューナーに供給する電源をオンにし、周波数サーチにおける初期周波数から前記第２のチューナーに周波数サーチをさせるようにしてもよく、前記制御手段は、前記車両が走行を開始したとき、前記第２のチューナーに供給する電源をオンにし、マルチパスのレベルが所定の値以下のとき、前記周波数サーチを再開させるようにしてもよく、前記制御手段は、前記車両が走行を開始したとき、前記第２のチューナーに供給する電源をオンにし、マルチパスのレベルが所定の値を超えているとき、前記第１のチューナーと前記第２のチューナーによってダイバーシティ受信を行わせるようにしてもよい。
【００１３】
また、本発明の他の形態によれば、指示に応じた放送局の放送波を受信する第１のチューナー及び受信可能な放送局の周波数サーチを行う第２のチューナーを備えたラジオ受信装置におけるラジオ受信方法であって、車両の走行中に、前記第２のチューナーに電源を供給して前記周波数サーチを行わせるステップと、前記車両が走行停止したか否かを検出するステップと、前記放送波の受信状態を検出するステップと、前記車両が走行を停止したとき、所定の受信状態に応じて前記第２のチューナーに供給する電源のオンオフを制御するステップと、を有することを特徴とするラジオ受信方法が提供される。
【００１４】
この形態に係るラジオ受信方法において、前記電源のオンオフを制御するステップは、前記受信状態を示すマルチパスを検出するステップと、前記マルチパスのレベルが所定の値以下のときに前記電源をオフにするステップと、を含むようにしてもよく、前記電源のオンオフを制御するステップは、前記受信状態を示すマルチパスを検出するステップと、前記マルチパスのレベルが所定の値を超えるとき、前記第１のチューナー及び前記第２のチューナーを使用してダイバーシティ受信を行わせるステップと、を含むようにしてもよく、前記電源のオンオフを制御するステップは、前記第２のチューナーによる周波数サーチの状態を検出するステップと、前記放送波の受信状態を検出するステップと、当該周波数サーチの状態が途中であって、前記受信状態が安定しているとき、前記途中までの周波数サーチの状態を記憶部に保存するステップと、前記周波数サーチの状態を記憶部に保存した後、前記第２のチューナーに供給する電源をオフにするステップと、を含むようにしてもよく、前記電源のオンオフを制御するステップは、前記第２のチューナーによる周波数サーチの状態を検出するステップと、前記放送波の受信状態を検出するステップと、当該周波数サーチの状態が途中であって、前記受信状態が不安定であるとき、周波数サーチを一周完了させるステップと、前記周波数サーチを一周完了させた後、前記第２のチューナーに供給する電源をオフにするステップと、を含むようにしてもよい。
【００１５】
また、更に、前記車両が走行を開始したか否かを検出するステップと、前記車両が走行を開始したとき、前記第２のチューナーに供給する電源をオンにするステップと、前記周波数サーチの途中から続けて前記第２のチューナーによって周波数サーチを行うステップと、を有するようにしてもよく、更に、前記車両が走行を開始したか否かを検出するステップと、前記車両が走行を開始したとき、前記第２のチューナーに供給する電源をオンにするステップと、周波数サーチにおける初期周波数から前記第２のチューナーによって周波数サーチを行うステップと、を有するようにしてもよく、更に、前記車両が走行を開始したか否かを検出するステップと、前記車両が走行を開始したとき、前記第２のチューナーに供給する電源をオンにするステップと、マルチパスの値を検出するステップと、前記マルチパスのレベルが所定の値以下のとき、前記第２のチューナーによって周波数サーチを再開するステップと、を有するようにしてもよく、更に、前記車両が走行を開始したか否かを検出するステップと、前記車両が走行を開始したとき、前記第２のチューナーに供給する電源をオンにするステップと、マルチパスの値を検出するステップと、前記マルチパスのレベルが所定の値を超えているとき、前記第１のチューナーと前記第２のチューナーによってダイバーシティ受信を実施するステップと、を有するようにしてもよい。
【発明の効果】
【００１６】
本発明のラジオ受信装置及びラジオ受信方法では、２つのチューナーのうちの一つのチューナーを周波数サーチに使用し、車両が走行停止したときに放送受信状況に応じて周波数サーチ用の一つのチューナーに供給する電源をオフするようにしている。例えば、車両が走行停止したときにマルチパスのレベルが所定の値より小さければ、周波数サーチ用のチューナーに供給する電源をオフし、マルチパスのレベルが所定の値よりも大きければ、２つのチューナーを用いてダイバーシティ受信動作を行うようにしている。これにより、受信状況を良好に保つとともにラジオ受信機の消費電力を低減することが可能となる。
【００１７】
また、車両の走行停止時における周波数サーチの状況に応じて周波数サーチを行っているチューナーに供給する電源をオフするタイミングを調整している。例えば、途中まで周波数サーチしたときにその途中の状態を保存した後電源をオフにし、受信状態が不安定なときには周波数サーチを一周した後で電源をオフにするようしている。これにより、車両の走行停止状態で受信可能な最新の放送局リストを取得することが可能になる。
【図面の簡単な説明】
【００１８】
【図１】本発明の実施形態に係るラジオ受信装置の構成を示すブロック図である。
【図２】放送局サーチによって抽出された放送局リストの表示画面の一例である。
【図３】車両走行停止時のサブチューナーの電源制御処理の一例を示すフローチャートである。
【図４】車両走行停止時のマルチパス検出処理を含むサブチューナーの電源制御処理の一例を示すフローチャートである。
【図５】車両走行停止時の周波数サーチの状態検出処理を含むサブチューナーの電源制御処理の一例を示すフローチャートである。
【図６】車両走行停止時のマルチパス検出処理及び周波数サーチの状態検出処理を含むサブチューナーの電源制御処理の一例を示すフローチャートである。
【発明を実施するための形態】
【００１９】
以下、本発明の実施の形態について、図面を参照して説明する。
【００２０】
図１は、本発明の実施形態に係るラジオ受信装置１００の構成を示すブロック図である。この図１に示すように、ラジオ受信装置１００は、メインアンテナ１と、メインチューナー２と、サブアンテナ６と、サブチューナー７と、ＤＳＰ(Digital Signal Processor)３と、アンプ４と、スピーカー５と、制御部８と、表示部９と、操作部１０と、記憶部１１と、電源供給部１２で基本構成される。また、制御部８は、スピードメーター１３と車両バスであるＣＡＮ(Controller Area Network)バスを介して接続されている。
【００２１】
メインアンテナ１は車両のボディーの一部に設置され、放送局から送信された放送電波を捕捉してメインチューナー２に供給する。
【００２２】
メインチューナー２は、制御部８の制御に基づいて、放送局から送信されてメインアンテナ１によって捕捉された放送信号を受信してＤＳＰ３に出力する。
【００２３】
なお、メインチューナー２は、メインアンテナ１からのＲＦ信号を受け取り、この信号を増幅するＲＦ増幅器と、増幅されたＲＦ信号から希望する放送局の周波数信号を選択する同調回路と、局部発振器からの周波数信号とＲＦ信号を混合して中間周波（ＩＦ）信号を生成する混合器と、ＩＦ信号を直流検波してその受信電界強度信号（Ｓメータ信号）を抽出するＳメータ回路を含んでいる。また、ＩＦ信号やＳメータ信号などをデジタル信号に変換してＤＳＰ３へ出力する。
【００２４】
また、メインチューナー２は、チャンネルシークやチャンネルスキャンなどのチャンネルサーチの実行が操作部１０の操作により指示されたときに、現在受信可能なチャンネル（放送局）を検索する。
【００２５】
サブチューナー７は、メインチューナー２と同様な構成になっている。サブチューナー７では、操作部１０からの指示によらず、常時、受信可能な放送局の周波数をサーチしている。すなわち、サブチューナー７は、受信周波数の設定を所定量（例えば０．１Hz単位）ずつ変化させながら、各周波数で放送信号の受信が可能か否かを判断し、受信強度が所定値以上の受信可能な周波数を抽出して受信周波数の放送局のリストを作成して記憶部１１に保存する。
【００２６】
ＤＳＰ３は、メインチューナー２及びサブチューナー７から出力されるデジタル信号に対して、デジタルフィルタリング、オーディオデコード、データデコード等の各種信号処理を行う。例えば、メインチューナー２から出力される音声信号に対して、オーディオデコードしてデジタルオーディオ信号を抽出する。このデジタルオーディオ信号はアンプ４でアナログオーディオ信号に変換されて増幅され、スピーカー５に供給される。
【００２７】
制御部８は、マイクロコンピュータで構成され、ＲＯＭ（不図示）に格納されているプログラムに基づいてラジオ受信装置１００の各部を制御する。例えば、操作部１０の操作によってチャネル設定の制御信号が入力されたときに、メインチューナー２が受信するチャネルを決定し、このチャネルに合致する受信周波数をメインチューナー２に設定する。また、ＤＳＰ３からの信号に基づき、放送波の受信状態の判定等を行う。
【００２８】
表示部９は、例えば液晶表示装置（ＬＣＤ）で構成され、受信している放送局の放送局名や、周波数サーチの結果得られた受信可能な放送局名などを表示する。なお、ヨーロッパで採用されているＲＤＳ（ラジオデータシステム）の場合、放送局名は、ＰＳ（プログラム・サービスネーム）データから取得する。
【００２９】
操作部１０は、ラジオ受信装置１００の操作に必要な操作ボタン等が設けられ、所望の放送局を選局する指示を行う。
【００３０】
記憶部１１は、ハードディスクや半導体メモリで構成され、放送局リストや車両走行停止時における周波数サーチの途中状態の情報などが保存される。
【００３１】
電源供給部１２は、バッテリー（不図示）から供給される電圧をメインチューナー２やサブチューナー７などの各部で要求される電圧に変換し、制御部８の制御により各部に供給される。
【００３２】
このように構成されたラジオ受信装置１００において、車両が走行停止したとき、ラジオ受信装置１００の受信状況が良好であれば、周波数サーチを行っているサブチューナー７及びサブアンテナ６に供給する電源をオフにし、受信状況が良好でないときは、２つのチューナーによるダイバーシティ受信動作を行わせるようにする。
【００３３】
なお、車両の走行中は、常時、周波数サーチを行い、車両の現在位置において受信可能な放送局のリストである放送局リストを作成している。この放送局リストに作成では、サブチューナーによって全周波数帯域内をシークし、受信可能な放送に関する情報を放送局リストに登録することによって実行する。
【００３４】
サブチューナーによるシーク時間は、放送局の数にも依存するが、およそ２分程度かかっている。サブチューナーではこのシークによるサーチ操作を繰り返し行っている。
【００３５】
図２は、放送局リストの画面表示の一例を示している。図２では、画面表示選択項目２１で「オーディオ」が選択され、種別選択項目２５で「ＦＭ」が選択され、放送局名表示部２３に５局の放送局名が表示されている。放送局リストには周波数サーチによって受信可能と判定されたすべての放送局が登録されるが、画面上には表示面積に応じてそのうちの数局（図２では、５局）の放送局名が表示されている。また、現在受信している放送局（Ｃ−ＦＭ）の周波数が周波数表示部２２に表示され、曲名表示部２４に放送されている楽曲の名称が出力されている。
【００３６】
以下に、車両走行停止時における周波数サーチ用チューナーに対する電源制御処理について図３から図６を参照しながら説明する。
【００３７】
図３は、ラジオ受信装置１００の制御部８が行うサブチューナー７に供給する電源のオンオフ制御処理の一例を示すフローチャートである。
【００３８】
まず、図３のステップＳ１１において、車両が走行停止したか否かを検出する。車両が走行停止したことは、ＣＡＮなどの車両バスを介してスピードメーター１３から車両の速度がゼロになったことの情報を受信することにより判断する。車両が走行停止するまで待機し、車両が走行停止したと判定したときは、ステップＳ１２に移行する。
【００３９】
次のステップＳ１２において、サブチューナー７及びサブアンテナ６に供給している電源をオフにする。制御部８は、スイッチＳｗを制御して、電源供給部１２から供給される電源のうち、サブチューナー７やサブアンテナ６への電源供給を停止する。
【００４０】
次のステップＳ１３において、車両が走行したか否かを判定する。車両が走行したことは、ステップＳ１１と同様に、車両バスを介してスピードメーター１３から車速がゼロではなくなった情報を受信することにより判定する。車両が走行するまで待機し、走行したと判定したときは、ステップＳ１４に移行する。
【００４１】
次のステップＳ１４において、サブチューナー７及びサブアンテナ６への電源供給を行う。制御部８は、スイッチＳｗを制御して、電源供給部１２から供給される電源のうち、サブチューナー７及びサブアンテナ６への電源を供給する。サブチューナー７は、電源が供給された後、再び周波数のサーチを継続して行う。
【００４２】
図３のフローチャートを用いて説明したように、本実施形態では車両が走行停止したとき、周波数サーチを行っているサブチューナー７及びサブアンテナ６に供給する電源をオフにしている。これにより、車両走行停止時にラジオ受信装置１００における消費電力を低減させることが可能となる。
【００４３】
次に、車両走行停止時に視聴している放送の受信状態を考慮したサブチューナー７に供給する電源のオンオフ制御処理について、図４のフローチャートを参照しながら説明する。
【００４４】
まず、図４のステップＳ２１において、車両が走行停止したか否かを判定する。車両が走行停止するまで待機し、走行停止したと判定されたときはステップＳ２２に移行する。
【００４５】
次のステップＳ２２において、ラジオ受信装置１００における放送波の受信状態を示すマルチパスの値を判定する。マルチパスのレベルが所定の値以下であり受信状態が良好と判定されたときは、ステップＳ２３に移行し、マルチパスのレベルが所定の値を超え、受信状態が悪化していると判定されたときは、ステップＳ２４に移行する。
【００４６】
マルチパスノイズ成分は、ＤＳＰ３に出力されたＳメータ信号がデジタルフィルタリング処理されて検出される。
【００４７】
次のステップＳ２３において、サブチューナー７及びサブアンテナ６へ供給する電源をオフにする。
【００４８】
一方、ステップＳ２４では、サブチューナー７及びサブアンテナ６への供給電源をオフにすることなく、メインチューナー２及びサブチューナー７の２つのチューナーによるダイバーシティ受信を行う。
【００４９】
ダイバーシティ受信は、周知の方法で実施する。例えば、メインチューナー２とサブチューナー７とで同一のチャンネルを受信するようにし、受信状況の良い方を選択して受信したり、メインチューナー２及びサブチューナー７によって同一内容の信号を受信して一方の出力信号の位相を調整し、これらの信号を合成して良好な受信感度を実現するフェーズダイバーシティ方式で受信する。
【００５０】
ステップＳ２３でサブチューナー７及びサブアンテナ６に供給する電源をオフにした後、ステップＳ２５において、車両が走行を開始したか否かを判定する。走行を開始するまで待機し、走行を開始したときはステップＳ２６に移行する。
【００５１】
次のステップＳ２６において、サブチューナー７及びサブアンテナ６への電源供給を再開する。そして、ステップＳ２９において、サブチューナー７及びサブアンテナ６による周波数サーチを継続して実施する。
【００５２】
一方、ステップＳ２４でダイバーシティ受信を実施しているとき、ステップＳ２７において、車両が走行を開始したか否かを判定する。走行を開始するまで待機し、走行を開始したときはステップＳ２８に移行する。
【００５３】
次のステップＳ２８において、マルチパスのレベルが所定の値以下か否かを判定する。マルチパスノイズ成分は、ＤＳＰ３に出力されたＳメータ信号がデジタルフィルタリング処理されて検出される。
【００５４】
マルチパスのレベルが所定の値以下であって受信状況が良好と判定されたときはステップＳ２９に移行してサブチューナーに周波数サーチを行わせ、マルチパスのレベルが所定の値を超え、受信状況が悪化していると判定されたときは、ステップＳ３０に移行してステップＳ３０に移行して２つのチューナーによるダイバーシティ受信を継続し、ステップＳ２８の受信状況の判定に移行する。
【００５５】
なお、上記処理において、車両が走行することによりマルチパスの影響が小さくなるものとみなして、ステップＳ２８及びステップＳ３０の処理は行わず、走行開始後サブチューナー７による周波数サーチを行うようにしてもよい。
【００５６】
以上説明した処理により、車両走行停止時において、受信状態が良好であればサブチューナー７及びサブアンテナ６への電源の供給を停止するため、良好な受信を確保するとともに、ラジオ受信装置における消費電力を極力低減することが可能となる。
【００５７】
次に、車両の走行停止時における周波数サーチの状況を考慮した制御部８が行うサブチューナー７に供給する電源のオンオフ制御処理について図５及び図６のフローチャートを参照しながら説明する。
【００５８】
図５は、図３に示した電源のオンオフ制御処理に、周波数サーチの状況に対する処理を追加したものである。
【００５９】
まず、図５のステップＳ３１において、車両が走行停止したか否かを判定する。車両が走行停止するまで待機し、車両が走行停止したと判定したときはステップＳ３２に移行する。
【００６０】
次のステップＳ３２において、サブチューナー７による周波数サーチが途中か否かを判定する。周波数サーチが途中のときはステップＳ３３に移行し、途中でないときはステップＳ３６に移行する。周波数サーチは、所定の範囲の周波数を最低（初期）周波数から最高周波数までシークするものであり、「周波数サーチが途中」とは、最低周波数から最高周波数まで一周していない状態のことである。
【００６１】
次のステップＳ３３において、受信状態が安定しているか否かを判定する。受信状態が安定していると判定したときは、ステップＳ３４に移行し、受信状態が不安定であると判定したときは、ステップＳ３５に移行する。
【００６２】
受信状態が安定しているか否かの判定は、車両の走行停止時における周波数サーチで検出した放送波Ｘの受信信号の電界強度と走行停止前における周波数サーチで検出した放送波Ｘの受信信号の電界強度とを比較して、変化が小さい場合に受信状態が安定しているとする。また、走行停止時における周波数サーチで検出した受信信号の電界強度の値が所定値、例えば、標準入力である６０ｄＢ以上である場合に、受信状態が安定していると判定してもよい。
【００６３】
次のステップＳ３４において、どの周波数までサーチしたかを示す周波数サーチの状態（周波数サーチの途中情報）を記憶部１１に保存する。
【００６４】
一方、受信状態が不安定であると判定されたときは、ステップＳ３５において、サブチューナー７による周波数サーチを一周完了するまで継続する。
【００６５】
次のステップＳ３６において、サブチューナー７及びサブアンテナ６に供給する電源をオフにする。
【００６６】
次のステップＳ３７において、車両が走行を開始したか否かを判定する。走行を開始するまで待機し、走行を開始したと判定したときはステップＳ３８に移行して、サブチューナー７及びサブアンテナ６に電源を供給する。
【００６７】
次のステップＳ３９において、記憶部１１に周波数サーチの途中情報が保存されているか否かを判定する。保存されているときはステップＳ４０に移行して、記憶部１１に保存されている周波数サーチの途中までの情報を抽出し、その後、途中の周波数から続けて周波数サーチを再開し、保存されていないときは、ステップＳ４１に移行して、初期周波数から周波数サーチを行う。
【００６８】
以上説明した処理によって、車両走行停止時にラジオ受信装置１００の消費電力を低減するとともに、走行停止時における最新の受信可能な放送局の情報を取得することが可能になる。
【００６９】
次に、車両の走行停止時における周波数サーチの状況、及び視聴している放送の受信状態を考慮した、制御部８が行うサブチューナー７に供給する電源のオンオフ制御処理について、図６のフローチャートを参照しながら説明する。図６は、図４に示した電源のオンオフ制御処理に、周波数サーチの状況に対する処理を追加したものである。
【００７０】
まず、図６のステップＳ５１において、車両が走行停止したか否かを判定する。走行停止するまで待機し、走行停止したと判定したときはステップＳ５２に移行する。
【００７１】
次のステップＳ５２において、マルチパスのレベルが所定の値以下か否かを判定する。所定の値以下のときはステップＳ５３に移行し、所定の値を超えるときはステップＳ５８に移行する。
【００７２】
次のステップＳ５３において、サブチューナー７による周波数サーチが途中か否かを判定する。途中のときはステップＳ５４に移行し、途中でないときはステップＳ５７に移行する。
【００７３】
次のステップＳ５４において、受信状態が安定しているか否かを判定する。受信状態が安定しているときはステップＳ５５に移行して、途中までの周波数サーチの状態を記憶部１１に保存し、受信状態が安定していないときは、ステップＳ５６に移行して、周波数サーチを一周完了させる。
【００７４】
次のステップＳ５７において、サブチューナー７及びサブアンテナ６に供給する電源をオフする。
【００７５】
次のステップＳ５９において、車両が走行を開始したか否かを判定する。車両が走行を開始するまで待機し、走行を開始したと判定したときはステップＳ６０に移行し、サブチューナー７及びサブアンテナ６への電源の供給を再開する。
【００７６】
次のステップＳ６３において、周波数サーチの途中情報が保存されているか否かを判定する。保存されているときはステップＳ６４に移行して、記憶部１１から周波数サーチの途中情報を抽出して、その途中から周波数サーチを再開し、その後、記憶部１１に格納した途中情報は削除する。保存されていないときはステップＳ６５に移行して、初期周波数から周波数サーチを再開する。
【００７７】
一方、ステップＳ５２においてマルチパスのレベルが所定の値を超えていると判定されたときは、ステップＳ５８において、サブチューナー７及びサブアンテナ６の電源をオフすることなく、２つのチューナーによるダイバーシティ受信を実施する。
【００７８】
次のステップＳ６１において、車両が走行開始したか否かを判定する。車両が走行を開始するまで待機し、走行を開始したと判定したときは、ステップＳ６２に移行し、マルチパスのレベルが所定の値以下か否かを判定する。所定の値以下のときはステップＳ６７に移行してサブチューナーに周波数サーチを行わせ、マルチパスのレベルが所定の値を超えているときはステップＳ６６に移行して、２つのチューナーによるダイバーシティ受信を継続し、ステップＳ６２の受信状況の判定に移行する。
【００７９】
なお、上記処理において、車両が走行することによりマルチパスの影響が小さくなるものとみなしてステップＳ６２及びステップＳ６６の処理は行わず、走行開始後サブチューナー７による周波数サーチを行うようにしてもよい。
【００８０】
以上説明したように、本実施形態のラジオ受信装置及びラジオ受信方法では、２つのチューナーのうちの一つのチューナーを周波数サーチに使用し、車両が走行停止したときに放送受信状況に応じて周波数サーチ用の一つのチューナーに供給する電源をオフするようにしている。例えば、車両が走行停止したときにマルチパスのレベルが所定の値より小さければ、周波数サーチ用のチューナーに供給する電源をオフし、マルチパスのレベルが所定の値よりも大きければ、２つのチューナーを用いてダイバーシティ受信動作を行うようにしている。これにより、受信状況を良好に保つとともにラジオ受信機の消費電力を低減することが可能となる。
【００８１】
また、車両の走行停止時における周波数サーチの状況に応じて周波数サーチを行っているチューナーに供給する電源をオフするタイミングを調整している。例えば、途中まで周波数サーチしたときにその途中の状態を保存した後電源をオフにし、受信状態が不安定なときには周波数サーチを一周した後で電源をオフにするようしている。これにより、車両の走行停止状態で受信可能な最新の放送局リストを取得することが可能になる。
【符号の説明】
【００８２】
１…メインアンテナ、
２…メインチューナー、
３…ＤＳＰ、
４…アンプ、
５…スピーカー、
６…サブアンテナ、
７…サブチューナー、
８…制御部、
９…表示部、
１０…操作部、
１１…記憶部、
１２…電源供給部、
１３…スピードメーター、
１００…ラジオ受信装置。
【図１】
0005512398.tif 000002
【図２】
0005512398.tif 000003
【図３】
0005512398.tif 000004
【図４】
0005512398.tif 000005
【図５】
0005512398.tif 000006
【図６】
0005512398.tif 000007